【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
周辺装置からホスト・システム上のターゲットへデータを入力するシステムであって、
プロセッサを含み、メモリへアクセスでき、複数のアプリケーション・プログラムを有するホストと、
スキャナと、前記スキャナの動作を開始させるように及び前記ホストの複数のアプリケーション・プログラムからアプリケーション・プログラムを選択するように動作するユーザ・インターフェースとを有する周辺装置と、
前記周辺装置を前記ホストに結合する通信リンクであって、前記スキャナの動作を開始するための前記周辺装置の前記ユーザ・インターフェースへの入力に応答して、警告信号が前記ホストへ通信され、前記ホストのプロセッサは、前記警告信号に応答して、前記ユーザ・インターフェースの入力により選択された前記アプリケーション・プログラムを識別するために前記周辺装置へ質問を行うものであり、前記スキャナの動作により生成されたデータは、前記周辺装置で記憶せずに前記ホストのメモリへ転送される、通信リンクと
を備え、
前記ホストのプロセッサは、前記ホストのメモリに記憶された前記走査されたデータを、識別された前記アプリケーション・プログラムと機能的に適合する形式にされたファイルへと変換するように、および前記形式にされた前記ファイルを前記アプリケーション・プログラムへ転送するように、動作する、
システム。
【請求項２】
周辺装置から、メモリを含み且つ複数のアプリケーション・プログラムをサポートするホストへ、データを入力するシステムであって、
周辺ユーザ・インターフェースとスキャナ装置とを含む周辺装置と、
前記周辺装置と前記ホストとの間の通信を確立する通信リンクと
を備え、
前記周辺ユーザ・インターフェースは、前記ホストのアプリケーション・プログラムのうちの望ましいものを選択するように、および前記スキャナ装置の動作を開始して前記ホストへ向けて信号を出させるように動作し、それにより、前記ホストが、選択された前記ホストのアプリケーション・プログラムを判定するために、前記周辺装置へ質問できるようにするものであり、かつ、前記スキャナ装置を動作させるように動作して、それにより、走査データを生成させ、該走査データを前記通信リンクを通じて前記メモリへ転送させるものであり、かつ、前記ホストは、前記走査データを、前記メモリから、選択された前記ホストのアプリケーション・プログラムへ、該アプリケーション・プログラムの動作での使用に機能的に適合するファイルの形式で転送するように動作する、
システム。
【請求項３】
周辺装置からホストへ走査データを通信する方法であって、
周辺装置ユーザ・インターフェースを、前記ホストによりサポートされる複数のアプリケーション・プログラムの１つのアプリケーション・プログラムの識別子を含む、走査の動作と関連するパラメータを選択するように、動作させるステップ、および、（ａ）選択された前記アプリケーション・プログラムを判定するために、前記周辺装置へ前記ホストにより質問すること、および走査データを生成するための前記周辺装置による走査の動作を開始することと、（ｂ）前記周辺装置で前記走査データを記憶せずに、前記ホストがアクセス可能なメモリへ、通信リンクを通じて前記走査データを転送すること、および前記走査データを、前記選択されたアプリケーション・プログラムと機能的に適合する形式にされたファイルへと処理するように、前記ホストを動作させ、前記形式にされた前記ファイルを、前記選択されたアプリケーション・プログラムへロードすることとを順に開始するように、動作させるステップ
を備える方法。
【請求項４】
周辺装置から、複数のアプリケーション・プログラムをサポートするホストによるアクセスが可能な遠隔のメモリへ、走査データを通信する方法であって、
走査動作の間に走査されるデータと関連する望まれるパラメータを選択するように、および、前記ホストの前記アプリケーション・プログラムの１つを選択するように、周辺装置ユーザ・インターフェースを動作させるステップと、警告信号を前記ホストへ送るように、および、前記ホストからの質問に応答して、少なくとも選択された前記アプリケーション・プログラムの識別子を前記ホストへ通信するように、続いて前記周辺装置ユーザ・インターフェースを動作させるステップと、選択された前記パラメータの幾つかを用い、前記周辺装置により走査動作を行い、走査データを生成するステップと、前記走査データを、通信リンクを通じて、前記ホストによるアクセスが可能な前記遠隔のメモリへ転送するステップと、前記メモリから、前記ホストの選択された前記アプリケーション・プログラムへ、前記走査データを、前記アプリケーション・プログラムの動作と機能的に適合する形式で、転送するように、前記ホストを動作させるステップと、
を備える方法。
【請求項５】
ホストおよび周辺装置を有し、通信リンクにより前記ホストと前記周辺装置との間の通信を可能とし、前記ホストは、メモリへアクセスできるプロセッサを含むものであり且つ少なくとも走査機能を含む複数のアプリケーション・プログラムをサポートするものであるコンピュータ・システムであって、前記周辺装置が、
ディスプレイを含むユーザ・インターフェースを有し、走査データを生成するスキャナを備え、前記ユーザ・インターフェースは、前記スキャナの動作と関連して用いる１以上のパラメータを選択する入力を含むユーザ入力を前記周辺装置へ供給するように、および、前記周辺装置の前記ディスプレイに呈示される前記ホストのアプリケーション・プログラムのメニューからアプリケーション・プログラムを選択するように、動作するものであり、前記スキャナの動作を開始させる前記ユーザ・インターフェースへの入力に応答して、警告信号が前記通信リンクを介して前記ホストへ通信されるものであり、前記スキャナの動作により走査されたデータは、前記メモリへ転送され記憶されるものであり、
前記ホストは、前記警告信号に応答して、前記周辺装置と通信して、前記ユーザ入力により選択された前記ホストのアプリケーション・プログラムを識別するものであり、前記ホストのプロセッサは、前記走査されたデータを、選択された前記アプリケーション・プログラムに適合するファイルの形式へと変換し、前記形式のファイルを、選択された前記アプリケーション・プログラムへロードするように動作するものである、
コンピュータ・システム。
【請求項６】
ホストおよび周辺装置を有し、通信リンクにより前記ホストと前記周辺装置との間の通信を可能とし、前記ホストは、メモリへアクセスできるプロセッサを含むものであり且つ少なくとも走査機能を含む複数のアプリケーション・プログラムをサポートするものであるコンピュータ・システムであって、前記周辺装置が、
ディスプレイを含むユーザ・インターフェースを有し、走査データを生成するスキャナを備え、前記ユーザ・インターフェースは、前記スキャナの動作と関連して用いる１以上のパラメータを選択する入力を含むユーザ入力を前記周辺装置へ供給するように、および、前記周辺装置の前記ディスプレイに呈示される前記ホストのアプリケーション・プログラムのメニューからアプリケーション・プログラムを選択するように、動作するものであり、前記スキャナの動作を開始させる前記ユーザ・インターフェースへの入力に応答して、警告信号が前記通信リンクを介して前記ホストへ通信されるものであり、前記スキャナの動作により走査されたデータは、前記周辺装置で記憶されずに、前記メモリへ転送され記憶されるものであり、
前記ホストは、前記警告信号に応答して、前記周辺装置と通信して、前記ユーザ入力により選択された前記ホストのアプリケーション・プログラムを識別するものであり、前記ホストのプロセッサは、前記走査されたデータを、選択された前記アプリケーション・プログラムに適合するファイルの形式へと変換し、前記形式のファイルを、選択された前記アプリケーション・プログラムへロードするように動作するものである、
コンピュータ・システム。